(57)【要約】      （修正有）【課題】より単純な構造で、おはじきがこぼれ出ることを防止するおはじき収容箱を提供する。【解決手段】底板と側板２と天井板１１とからなり、内部に収容室４を有するおはじき収容箱１の天井板１１と側板２とで形成される線状の角部１６に、天井板１１と側板２とのそれぞれに斜めに交差する斜面部３０と、この斜面部３０に、所定の大きさを有する略板形状のおはじき４０をおはじき４０の板面に沿った方向Ｘで投入するのに必要且つ充分な孔形状を有する投入口３１を形成する。【選択図】図１
0003137450.tif 000002
【実用新案登録請求の範囲】
【請求項１】
底板と側板と天井板とからなり、内部に収容室を有する箱体と、
該天井板と該側板とで形成される線状の角部に、該天井板と該側板とのそれぞれに斜めに交差する斜面部と、
この斜面部に、所定の大きさを有する略板形状のおはじきを該おはじきの板面に沿った方向で投入するのに必要且つ充分な孔形状を有する投入口と、
を備えたことを特徴とするおはじき収容箱。
【請求項２】
請求項１に記載のおはじき収容箱において、
前記投入口が、前記天井板、および前記側板の少なくともいずれか一方と、前記斜面部とが交差する交差部から離間して配置されたことを特徴とするおはじき収容箱。
【請求項３】
請求項１、または請求項２に記載のおはじき収容箱において、
前記斜面部と交差する前記天井板、および前記側板の少なくともいずれか一方の内面側に、
前記投入口の開口縁に向かって延設されたリブが少なくとも１箇所配置されたことを特徴とするおはじき収容箱。
【請求項４】
請求項１〜請求項３に記載のいずれか１項のおはじき収容箱において、
前記斜面部と交差する前記天井板、および前記側板の少なくともいずれか一方に、
前記投入口から離間しつつ、該投入口の一部に重なるように前記収容室内に突出した突出部を形成したことを特徴とするおはじき収容箱。
【考案の詳細な説明】
【技術分野】
【０００１】
本考案は、算数の足し算、引き算を学習する際の教材として使用されるおはじきを収容するおはじき収容箱に関する。
【背景技術】
【０００２】
算数の足し算、引き算を学習する際におはじきを使用することが従来から行なわれている。その中で、おはじきを収容・保管する収容箱におはじきを１枚ずつ中に入れる投入口と、箱の中を２つに分ける仕切壁を設け、所定枚数のおはじきを投入口から入れた際に、収容箱の中で何枚ずつに分かれるか、といった学習方法が用いられており、このような学習方法を行なうために、収容箱の天井面、あるいは側面におはじきを投入する投入口が設けられた収容箱が用いられている。
【０００３】
このように投入口を有するおはじき収容箱の場合、授業以外では投入口に粘着テープを貼付け、持ち運びをした際に、中からおはじきがこぼれ出ないようにすることが行なわれている。また、投入口からおはじきがこぼれ出ないようにするための構成として、可撓性を有する弁体を投入口の内面に貼付けたり、特許文献１に開示された構成が考えられる。特許文献１に開示された構成は、貯金箱の硬貨投入口についての構成であるが、投入口の内側に封筒状の底のない袋を配置し、投入した硬貨がこぼれ出ることを防止するものである。
【特許文献１】特開昭５１−６０９９号公報
【考案の開示】
【考案が解決しようとする課題】
【０００４】
しかしながら、おはじきなどを使って授業を行なう場合、対象とする児童の年齢が低く、粘着テープ等で投入口を塞ぐ方法では、粘着テープを剥がした後に紛失してしまう可能性が高く、不十分な方法である。また、弁体を投入口の内側から貼付けたり、特許文献１に開示されるような構造を用いた場合には、製造コストが上がるとともに、収容箱が大型化するうえに、児童のいたずらによって破損、損失して機能しなくなる可能性の高いものであった。
【０００５】
そこで、本考案は、より単純な構造で、おはじきがこぼれ出ることを防止するおはじき収容箱を提供することを目的とする。
【課題を解決するための手段】
【０００６】
請求項１の考案は、底板と側板と天井板とからなり、内部に収容室を有する箱体と、該天井板と該側板とで形成される線状の角部に、該天井板と該側板とのそれぞれに斜めに交差する斜面部と、この斜面部に、所定の大きさを有する略板形状のおはじきを該おはじきの板面に沿った方向で投入するのに必要且つ充分な孔形状を有する投入口と、を備えたことを特徴とする。
【０００７】
請求項２の考案は、請求項１に記載のおはじき収容箱において、前記投入口が、前記天井板、および前記側板の少なくともいずれか一方と、前記斜面部とが交差する交差部から離間して配置されたことを特徴とする。
【０００８】
請求項３の考案は、請求項１、または請求項２に記載のおはじき収容箱において、前記斜面部と交差する前記天井板、および前記側板の少なくともいずれか一方の内面側に、前記投入口の開口縁に向かって延設されたリブが少なくとも１箇所配置されたことを特徴とする。
【０００９】
請求項４の考案は、請求項１〜請求項３のいずれか１項に記載のおはじき収容箱において、前記斜面部と交差する前記天井板、および前記側板の少なくともいずれか一方に、前記投入口から離間しつつ、該投入口の一部に重なるように前記収容室内に突出した突出部を形成したことを特徴とする。
【考案の効果】
【００１０】
請求項１の考案によれば、天井板と側板とのそれぞれに斜めに交差する斜面部に投入口を設けたことにより、おはじき収容箱を持ち運ぶ際に、いろいろな姿勢での内部のおはじきが投入口からこぼれ出ることがない。
【００１１】
請求項２の考案によれば、投入口が、天井板、および側板と斜面部とが交差する交差部から離間して配置されたことにより、おはじきが天井板、または側板の内面上に位置した場合でも、交差部で斜面部に突き当たり、投入口からおはじきがこぼれ出ることはない。また、おはじきの勢いが強く、斜面部内面まで移動した場合にも、投入口に対して、おはじきが斜めに位置するため、投入口の開口縁におはじきが衝突し、投入口からおはじきがこぼれ出ることはない。
【００１２】
請求項３の考案によれば、斜面部と交差する天井板、および側板の少なくともいずれか一方の内面側に、投入口の開口縁に向かってリブが延設されたことにより、おはじきが天井板、または側板の内面上に位置した場合でも、リブが邪魔をして、おはじきが投入口の正面に位置することができず、おはじきが投入口からこぼれ出ることを困難にしている。さらに、おはじきがリブに乗り上げた場合には、おはじきが投入口の正面に位置するが、、投入口に対しておはじきが斜めになり、投入口の周縁におはじきが衝突するため、投入口からおはじきがこぼれ出ることはない。
【００１３】
請求項４の考案によれば、斜面部と交差する天井板、または側板に、投入口から離間しつつ、投入口の一部に重なるように収容室内に突出した突出部を形成したことにより、突出部によって投入口の一部が塞がれた状態になるため、突出部上のおはじきは、投入口周縁に衝突し、おはじきがこぼれ出ることはない。
【考案を実施するための最良の形態】
【００１４】
以下、本考案を図面に基づいて説明する。図１〜図５は、おはじき収容箱の一実施形態を示し、図１は本実施形態のおはじき収容箱を斜め上方から見た斜視図、図２は図１のＡ−Ａ線に沿った断面図、図３は本実施形態のおはじき収容箱を逆さにした状態での図２のＢ部拡大図、図４は本実施形態の投入口を下にした状態での図２のＢ部拡大図、図５は本実施形態のおはじき収容箱を構成する底部材の平面図である。
【００１５】
本実施形態のおはじき収容箱１は、図１、図２に示すように、蓋部材１０と底部材２０とからなり、直方体形状の箱体１ａを有している。蓋部材１０は、略長方形形状の天井板１１と、この天井板１１の各辺に立設された蓋側側板１２とで構成され、蓋側ヒンジ部１３と係止突起１４が天井板１１の長辺にそれぞれ対向するように配設されている。底部材２０は、天井板１１と同様の長方形形状の底板２１と、この底板２１の各辺に立設された底側側板２２とで構成され、底側ヒンジ部２３と係合部２４は底板２１の長辺にそれぞれ対向するように配設されている。
【００１６】
そして、蓋部材１０と底部材２０とは、おはじき収容箱１の背面側１ｃで蓋側ヒンジ部１３と底側ヒンジ部２３とからなるヒンジ部３で蓋部材１０が開閉自在に支持されている。また、おはじき収容箱１の正面側１ｂで底部材２０に設けられた係合部２４と蓋部材１０に設けられた係止突起１４とを係合させることで、蓋部材１０が底部材２０上に保持されるとともに、蓋側側板１２と底側側板２２とで箱全体の側板２が構成され、内部に直方体状の収容室４を備えたおはじき収容箱１の直方体形状が形成されている。蓋部材１０と底部材２０のそれぞれには、収容室４を長手方向に小収容室４ａに２分割しつつ、これら小収容室４ａが連通するように、蓋側仕切板１５と底側仕切板２５とが形成されている。
【００１７】
係合部２４が配設された蓋側側板１２と天井板１１とが交差する部位に形成される線状の角部１６の中央部分には、天井板１１と蓋側側板１２とのそれぞれに斜め４５度の角度で交差する斜面部３０が形成されている。そして、この斜面部３０に、所定の大きさを有する略板形状のおはじき４０をおはじき４０の板面に沿った方向Ｘで投入するのに必要且つ充分な長方形の孔形状を有する投入口３１が形成されている。また、投入口３１は、天井板１１と斜面部３０とが交差する線状の天井側交差部３２と、蓋側側板１２と斜面部３０とが交差する線状の側板側交差部３３とのそれぞれから離間しつつ、角部１６に沿って形成されている。
【００１８】
斜面部３０と交差する底側側板２２には、収容室４内に突出する突出部２６が形成されている。突出部２６は、底部材２０の底板２１から開口部２８に渡って、斜面部３０とほぼ同じ幅で、投入口３１の開口縁３１ａに沿って形成されている。また、上方からおはじき収容箱１を見て投入口３１の一部に重なるように収容室４内に突出しているとともに、底部材２０に形成されており、つまりは突出部２６は投入口３１からは離間して形成されている。
【００１９】
さらに、突出部２６の中央部には、底部材２０の底板２１から開口部２８に渡ってリブ２７が形成されている。そして、このリブ２７は、投入口３１の長手方向に対して、投入口３１を２等分しつつ、直交するように、投入口３１に向かって延設されている。
【００２０】
次に、おはじき収容箱１に収容されたおはじき４０がこぼれ出ない理由を図面に基づいて説明する。まず、おはじき収容箱１が正立した状態では、投入口３１が上方に位置するため、収容室４内のおはじき４０は投入口３１から離間しており、おはじき収容箱１からおはじき４０がこぼれ出ることはない。
【００２１】
おはじき収容箱１が倒立した状態では、蓋部材１０の天井板内面１１ａの上におはじき４０が位置する。この倒立状態で、おはじき収容箱１が持ち運びされた場合、図３に示すように、天井板内面１１ａ上、且つ投入口３１近傍のおはじき４０は、天井側交差部３２で斜面部３０に突き当たり、投入口３１からおはじき４０がこぼれ出ることはない。また、おはじき４０の勢いが強く、斜面部内面３０ａまで移動した場合には、投入口３１に対して、おはじき４０が斜めに位置するため、投入口３１の開口縁３１ａにおはじき４０が衝突し、投入口３１からおはじき４０がこぼれ出ることはない。
【００２２】
おはじき収容箱１の斜面部３０と交差する側板２を下にしておはじき収容箱１を立てた状態では、底側側板２２の突出部２６の上におはじき４０が位置する。この状態で、おはじき収容箱１が持ち運びされた場合、図４に示すように、突出部２６によって投入口３１の一部が塞がれた状態になるため、突出部２６上のおはじき４０は、投入口３１周縁に衝突し、おはじき４０がこぼれ出ることはない。
【００２３】
また、突出部２６にはリブ２７が設けられているので、図５に示すように、リブ２７が邪魔をして、おはじき４０が投入口３１の正面に位置することができず、おはじき４０が投入口３１からこぼれ出ることを困難にしている。さらに、おはじき４０がリブ２７に乗り上げた場合には、おはじき４０が投入口３１の正面に位置するが、投入口３１に対しておはじき４０が斜めになり、投入口３１の周縁におはじき４０が衝突するため、投入口３１からおはじき４０がこぼれ出ることはない。
【００２４】
以上のような構成により、斜面部３０に投入口３１を設けたことにより、おはじき収容箱１を持ち運ぶ際に、いろいろな姿勢でも内部のおはじき４０が投入口３１からこぼれ出ることがない。
【００２５】
投入口３１が、天井板１１、および側板２と斜面部３０とが交差する天井側交差部３２、および側板側交差部３３からそれぞれ離間して配置されたことにより、おはじき４０が天井板１１、および側板２の内面上に位置した際に、交差部で斜面部３０に突き当たり、投入口３１からおはじき４０がこぼれ出ることはない。また、おはじき４０の勢いが強く、斜面部３０内面まで移動した場合にも、投入口３１に対して、おはじき４０が斜めに位置するため、投入口３１の開口縁におはじき４０が衝突し、投入口３１からおはじき４０がこぼれ出ることはない。
【００２６】
斜面部３０と交差する側板２の内面側に、投入口３１の開口縁に向かってリブ２７が延設されたことにより、おはじき４０が側板２の内面上に位置した際に、リブ２７が邪魔をして、おはじき４０が投入口３１の正面に位置することができず、おはじき４０が投入口３１からこぼれ出ることを困難にしている。さらに、おはじき４０がリブ２７に乗り上げた場合には、おはじき４０が投入口３１の正面に位置するが、投入口３１に対しておはじき４０が斜めになり、投入口３１の周縁におはじき４０が衝突するため、投入口３１からおはじき４０がこぼれ出ることはない。
【００２７】
斜面部３０と交差する側板２に、投入口３１から離間しつつ、投入口３１の一部に重なるように収容室内に突出した突出部２６を形成したことにより、突出部２６によって投入口３１の一部が塞がれた状態になるため、突出部２６上のおはじき４０は、投入口３１周縁に衝突し、おはじき４０がこぼれ出ることはない。
【００２８】
なお、本実施形態では、底側側板２２に突出部２６とリブ２７とが配設されているが、天井板１１内面に突出部とリブを設けても同様の作用効果を得ることができる。
【図面の簡単な説明】
【００２９】
【図１】本願考案の一実施形態を示すおはじき収容箱を斜め上方から見た斜視図である。
【図２】図１のＡ−Ａ線に沿った断面図である。
【図３】本願考案の一実施形態を示すおはじき収容箱を逆さにした状態での図２のＢ部拡大図である。
【図４】本願考案の一実施形態を示すおはじき収容箱の投入口を下にした状態での図２のＢ部拡大図である。
【図５】本願考案の一実施形態を示すおはじき収容箱の平面図である。
【符号の説明】
【００３０】
１…おはじき収容箱
１ａ…箱体
２…側板
１１…天井板
１６…角部
２６…突出部
２７…リブ
３０…斜面部
３１…投入部
３２…天井側交差部（交差部）
３３…側板側交差部（交差部）
４０…おはじき
Ｘ…おはじきの板面に沿った方向
【図１】
0003137450.tif 000003
【図２】
0003137450.tif 000004
【図３】
0003137450.tif 000005
【図４】
0003137450.tif 000006
【図５】
0003137450.tif 000007